(57)【要約】【課題】地上デジタル放送と地上アナログ放送とを受信可能な放送受信機において、前記２放送方式がサイマル放送を行なっている場合に、一方の放送方式において番組予約が重複した際に他方の放送方式にて番組予約を行なうようにすることにより、ユーザが番組予約取り消しなどを行なう煩雑さを解消する放送受信機を提供する。【解決手段】地上デジタル放送チャンネルと地上アナログ放送チャンネルとの対応チャンネル情報を生成し、一方の放送方式で番組予約を行なう際に、予約番組が重複した場合、前記対応チャンネル情報を参照して他方の放送方式のチャンネルへ番組予約を変更するように指示を促し、実際に変更指示を受けたならば、変更前の番組予約情報のうちの放送日時と、対応チャンネル情報にて得られた対応チャンネルとで新たな番組予約情報を生成して、この番組予約情報にて番組予約を行なうことを特徴とする。【選択図】      図１
2006222732.tif 000002
【特許請求の範囲】
【請求項１】
地上デジタル放送を受信する手段と、
前記地上デジタル放送とは異なる放送方式である地上アナログ放送を受信する手段と、
サイマル放送が行なわれている、地上デジタル放送チャンネルと地上アナログ放送チャンネルとを対応付ける、対応チャンネル情報を生成する対応チャンネル情報生成手段と、
前記対応チャンネル情報生成手段で生成された前記対応チャンネル情報を記憶する対応チャンネル情報記憶手段と、
前記地上デジタル放送において、予約録画または予約視聴を行いたい番組のチャンネル情報と放送日時情報とを含む番組予約情報を設定する地上デジタル放送対応の番組予約手段と、
前記地上アナログ放送において、予約録画または予約視聴を行いたい番組のチャンネル情報と放送日時情報とを含む番組予約情報を設定する地上アナログ放送対応の番組予約手段と、
前記地上デジタル放送対応の番組予約手段または前記地上アナログ放送対応の番組予約手段を用いて番組予約情報の設定が行われる際に、同一放送方式において設定された２つの番組予約情報の放送日時情報が重複した場合、重複した番組予約情報の一方を異なる放送方式での番組予約情報へ変更させる為の番組予約変更指示情報を表示する番組予約変更指示手段と、
ユーザから前記番組予約変更指示情報に基づく番組予約情報変更の実行指示を受けたならば、前記地上デジタル放送対応の番組予約手段または前記地上アナログ放送対応の番組予約手段に設定されている変更対象の番組予約情報を取得し、かつ、取得した前記番組予約情報の有するチャンネル情報に対応する異なる放送方式のチャンネル情報を、前記対応チャンネル記憶手段に記憶している前記対応チャンネル情報から得、前記得られた異なる放送方式のチャンネル情報と前記取得した番組予約情報のうちの放送日時情報とで新たな番組予約情報を生成し、変更前の番組予約情報が設定されていた番組予約手段とは異なる放送方式対応の番組予約手段に、前記新たな番組予約情報を設定するよう制御する制御手段と、
を備えることを特徴とする放送受信装置。
【請求項２】
地上デジタル放送を受信する手段と、
前記地上デジタル放送とは異なる放送方式である地上アナログ放送を受信する手段と、
サイマル放送が行なわれている、地上デジタル放送チャンネルと地上アナログ放送チャンネルとを対応付ける、対応チャンネル情報を生成する対応チャンネル情報生成手段と、
前記対応チャンネル情報生成手段で生成された前記対応チャンネル情報を記憶する対応チャンネル情報記憶手段と、
前記地上デジタル放送において、予約録画または予約視聴を行いたい番組のチャンネル情報と放送日時情報とを含む番組予約情報を設定する地上デジタル放送対応の番組予約手段と、
前記地上アナログ放送において、予約録画または予約視聴を行いたい番組のチャンネル情報と放送日時情報とを含む番組予約情報を設定する地上アナログ放送対応の番組予約手段と、
前記地上デジタル放送対応の番組予約手段または前記地上アナログ放送対応の番組予約手段を用いて番組予約情報の設定が行われる際に、同一放送方式において設定された２つの番組予約情報の放送日時情報が重複した場合、重複した番組予約情報の一方を異なる放送方式での番組予約情報へ変更させる為に、前記地上デジタル放送対応の番組予約手段または前記地上アナログ放送対応の番組予約手段に設定されている変更対象の番組予約情報を取得し、かつ、取得した前記番組予約情報の有するチャンネル情報に対応する異なる放送方式のチャンネル情報を、前記対応チャンネル記憶手段に記憶している前記対応チャンネル情報から得、前記得られた異なる放送方式のチャンネル情報と前記取得した番組予約情報のうちの放送日時情報とで新たな番組予約情報を生成し、変更前の番組予約情報が設定されていた番組予約手段とは異なる放送方式対応の番組予約手段に、前記新たな番組予約情報を設定するよう制御する制御手段と、
を備えることを特徴とする放送受信装置。
【発明の詳細な説明】
【技術分野】
【０００１】
本発明は、放送受信装置に係り、特に地上デジタル放送と、地上アナログ放送とを受信可能な放送受信装置に関するものである。
【背景技術】
【０００２】
現在、地上デジタル放送が首都圏をはじめとする一部地域で開始され始めている。これは、放送データがデジタルで送信されるデジタルハイビジョン放送である。一方、従来の地上アナログ放送も引き続き放送されている。そして現時点での運用では、地上デジタル放送と地上アナログ放送とで同一番組を同一時刻に放送する、いわゆるサイマル放送が行われている場合が多い。
【０００３】
上記放送運用状況を鑑み、地上デジタル放送と地上アナログ放送の両方を受信可能な放送受信装置が登場しており、この放送受信装置についてさまざまな技術提案がなされている。
【０００４】
例えば、特開２００２−１６８４６号公報では、地上デジタルチューナと地上アナログチューナとの両方を備えて、地上デジタル放送の番組と地上アナログ放送の番組を２画面表示する場合の、音声出力や電子番組表（ＥＰＧ）の報知音などの処理を工夫してユーザの利便性を考慮したとする提案がなされている。
【発明の開示】
【発明が解決しようとする課題】
【０００５】
現在まで、前記従来例のように地上デジタルチューナを受信した映像に対応する音声と、地上アナログチューナを受信した映像に対応する音声と、ＥＰＧの報知音との音声出力方法を工夫してユーザの利便性を図るというような提案はあった。
【０００６】
しかしながら、番組予約の際に同一放送方式で２つの番組予約が重複した場合の課題解決において、地上デジタル放送と地上アナログ放送との両方を受信可能な利点を生かした提案はこれまで無かった。
【０００７】
本発明は上記課題に鑑みてなされたもので、地上デジタル放送と地上アナログ放送とを受信可能な利点を生かして、地上デジタル放送と地上アナログ放送とでサイマル放送がなされている場合に、例えば地上デジタル放送において番組予約が重複した場合に、重複した番組予約のどちらかを、同一の番組が放送されている地上アナログ放送でのチャンネルにおける番組予約に切り替えることを可能とすることにより、前回の番組予約を取り消して再度予約をしなおさなければいけないといった番組予約時のユーザ操作の煩雑さを軽減する放送受信装置を提供することを目的とする。
【特許文献１】特開２００２−１６８４６号公報
【課題を解決するための手段】
【０００８】
そこで上記課題を解決するために本発明は、下記の装置を提供するものである。
（１）地上デジタル放送を受信する手段と、
前記地上デジタル放送とは異なる放送方式である地上アナログ放送を受信する手段と、
サイマル放送が行なわれている、地上デジタル放送チャンネルと地上アナログ放送チャンネルとを対応付ける、対応チャンネル情報を生成する対応チャンネル情報生成手段と、
前記対応チャンネル情報生成手段で生成された前記対応チャンネル情報を記憶する対応チャンネル情報記憶手段と、
前記地上デジタル放送において、予約録画または予約視聴を行いたい番組のチャンネル情報と放送日時情報とを含む番組予約情報を設定する地上デジタル放送対応の番組予約手段と、
前記地上アナログ放送において、予約録画または予約視聴を行いたい番組のチャンネル情報と放送日時情報とを含む番組予約情報を設定する地上アナログ放送対応の番組予約手段と、
前記地上デジタル放送対応の番組予約手段または前記地上アナログ放送対応の番組予約手段を用いて番組予約情報の設定が行われる際に、同一放送方式において設定された２つの番組予約情報の放送日時情報が重複した場合、重複した番組予約情報の一方を異なる放送方式での番組予約情報へ変更させる為の番組予約変更指示情報を表示する番組予約変更指示手段と、
ユーザから前記番組予約変更指示情報に基づく番組予約情報変更の実行指示を受けたならば、前記地上デジタル放送対応の番組予約手段または前記地上アナログ放送対応の番組予約手段に設定されている変更対象の番組予約情報を取得し、かつ、取得した前記番組予約情報の有するチャンネル情報に対応する異なる放送方式のチャンネル情報を、前記対応チャンネル記憶手段に記憶している前記対応チャンネル情報から得、前記得られた異なる放送方式のチャンネル情報と前記取得した番組予約情報のうちの放送日時情報とで新たな番組予約情報を生成し、変更前の番組予約情報が設定されていた番組予約手段とは異なる放送方式対応の番組予約手段に、前記新たな番組予約情報を設定するよう制御する制御手段と、
を備えることを特徴とする放送受信装置。
（２）地上デジタル放送を受信する手段と、
前記地上デジタル放送とは異なる放送方式である地上アナログ放送を受信する手段と、
サイマル放送が行なわれている、地上デジタル放送チャンネルと地上アナログ放送チャンネルとを対応付ける、対応チャンネル情報を生成する対応チャンネル情報生成手段と、
前記対応チャンネル情報生成手段で生成された前記対応チャンネル情報を記憶する対応チャンネル情報記憶手段と、
前記地上デジタル放送において、予約録画または予約視聴を行いたい番組のチャンネル情報と放送日時情報とを含む番組予約情報を設定する地上デジタル放送対応の番組予約手段と、
前記地上アナログ放送において、予約録画または予約視聴を行いたい番組のチャンネル情報と放送日時情報とを含む番組予約情報を設定する地上アナログ放送対応の番組予約手段と、
前記地上デジタル放送対応の番組予約手段または前記地上アナログ放送対応の番組予約手段を用いて番組予約情報の設定が行われる際に、同一放送方式において設定された２つの番組予約情報の放送日時情報が重複した場合、重複した番組予約情報の一方を異なる放送方式での番組予約情報へ変更させる為に、前記地上デジタル放送対応の番組予約手段または前記地上アナログ放送対応の番組予約手段に設定されている変更対象の番組予約情報を取得し、かつ、取得した前記番組予約情報の有するチャンネル情報に対応する異なる放送方式のチャンネル情報を、前記対応チャンネル記憶手段に記憶している前記対応チャンネル情報から得、前記得られた異なる放送方式のチャンネル情報と前記取得した番組予約情報のうちの放送日時情報とで新たな番組予約情報を生成し、変更前の番組予約情報が設定されていた番組予約手段とは異なる放送方式対応の番組予約手段に、前記新たな番組予約情報を設定するよう制御する制御手段と、
を備えることを特徴とする放送受信装置。
【発明の効果】
【０００９】
本発明の放送受信機によれば、地上デジタル放送と地上アナログ放送とを受信可能な利点を生かして、地上デジタル放送と地上アナログ放送とでサイマル放送がなされている場合に、例えば地上デジタル放送において番組予約が重複した場合に、重複した番組予約のどちらかを、同一の番組が放送されている地上アナログ放送でのチャンネルにおける番組予約に切り替えることを可能とすることにより、前回の番組予約を取り消して再度予約をしなおさなければいけないといった番組予約時のユーザ操作の煩雑さを軽減することが可能となる。
【発明を実施するための最良の形態】
【００１０】
以下に本発明の放送受信装置の一実施例を図面と共に説明する。
図１は、本発明の地上デジタル受信装置の一実施例の構成図である。
制御手段１０３は、地上デジタル受信手段１０１、地上アナログ受信手段１０２、対応チャンネル情報生成手段１０４、地上デジタル放送番組予約手段１０６、地上アナログ放送番組予約手段１０７、ビデオ信号セレクタ１１２、ビデオ信号セレクタ１１３を制御する。
【００１１】
リモコン受信手段１１４は、ユーザがリモコンを操作した時の制御情報を制御手段１０３に出力する。
地上デジタル受信手段１０１は、制御手段１０３の制御指示に従って、アンテナで受信した地上デジタル放送の放送波を復調し、地上デジタルビデオ信号をビデオ信号セレクタ１１２へ出力する。
【００１２】
地上アナログ受信手段１０２は、制御手段１０３の制御指示に従って、アンテナで受信した地上アナログ放送の放送波を復調し、地上アナログビデオ信号をビデオ信号セレクタ１１２へ出力する。
【００１３】
なお、上記地上デジタル受信手段１０１、及び地上アナログ受信手段１０２は各ビデオ信号を復調する他に、オーディオ信号や各種データ信号等も復調するが、本実施例の説明ではビデオ信号のみを扱い、オーディオ信号や各種データ信号等は扱わないので、オーディオ信号や各種データ信号に関しての説明は省略する。
【００１４】
また、上記地上デジタル受信手段１０１、及び地上アナログ受信手段１０２で復調した、オーディオ、ビデオ、各種データ信号は、それぞれ番組予約を実行した際の録画出力として図示していない録画部へ出力される。
【００１５】
ビデオ信号セレクタ１１２は、入力された地上デジタルビデオ信号と地上アナログビデオ信号とから、制御手段１０３の制御指示に従って選択した方のビデオ信号をビデオ信号セレクタ１１３へ出力する。
【００１６】
対応チャンネル情報生成手段１０４は、制御手段１０３の制御指示に従って、サイマル放送が行なわれている地上デジタル放送のチャンネルと地上アナログ放送のチャンネルとを対応付けて、対応チャンネル情報を生成し、対応チャンネル情報記憶手段１０５に記憶する。  対応チャンネル情報記憶手段１０５は、フラッシュメモリなどの電源をオフしてもデータが消去されない不揮発メモリである。
【００１７】
この地上デジタル放送のチャンネルと地上アナログ放送のチャンネルとの対応付けは、対応チャンネル設定画面を用いてユーザとの対話形式によって行なう。従って、対応チャンネル情報生成手段１０４は、この対話処理を行なうための対応チャンネル設定画面をユーザに表示するために、ＯＳＤメモリ１１０に対応チャンネル設定画面データを書き込む処理も行う。ＯＳＤメモリ１１０は書き込まれた対応チャンネル設定画面データをＤＡ変換器１１１に出力する。ＤＡ変換器１１１はこれをアナログメニュー信号に変換して、ビデオ信号セレクタ１１３に出力する。ビデオ信号セレクタ１１３は制御手段１０３の制御指示に従って、対応チャンネル設定時は、このアナログメニュー信号を選択し、図示していない画像表示部へ出力する。このような信号の流れにより、画像表示部によってユーザへ対応チャンネル設定画面を表示する。そして、ユーザは表示された対応チャンネル設定画面上でリモコンにて所定の操作を行い、データを入力する。入力されたデータは、リモコン受信部１１４を介して制御手段１０３に入力される。制御手段１０３は入力されたデータに対応した制御を対応チャンネル情報生成手段１０４に指示する。対応チャンネル情報生成手段１０４はその指示された処理を行うと共に、必要であれば対応チャンネル設定画面データを変更してＯＳＤメモリ１１０に書き込み、ユーザへ表示している対応チャンネル設定画面を変更する。このようにして、逐次対応チャンネル設定画面を変更しながらユーザとの対話処理が行われる。
【００１８】
地上デジタル放送番組予約手段１０６は、制御手段１０３の制御指示に従って、地上デジタル放送番組の予約処理を行い、設定された予約情報を番組予約情報記憶手段１０８に記憶する。番組予約情報記憶手段１０８は、フラッシュメモリなどの電源をオフしてもデータが消去されない不揮発メモリである。
【００１９】
この地上デジタル放送番組予約処理は、地上デジタル放送番組予約設定画面を用いてユーザとの対話形式によって行う。従って、地上デジタル放送番組予約設定手段１０６は、この対話処理を行なうための地上デジタル放送番組予約設定画面をユーザに表示するために、ＯＳＤメモリ１１０に地上デジタル放送番組予約設定画面データを書き込む処理も行う。
ＯＳＤメモリ１１０は書き込まれた地上デジタル放送番組予約設定画面データをＤＡ変換器１１１に出力する。ＤＡ変換器１１１はこれをアナログメニュー信号に変換して、ビデオ信号セレクタ１１３に出力する。ビデオ信号セレクタ１１３は、制御手段１０３の制御指示に従って、地上デジタル放送番組予約設定時は、このアナログメニュー信号を選択し、図示していない画像表示部へ出力する。このような信号の流れにより、画像表示部によってユーザへ地上デジタル放送番組予約設定画面を表示する。そして、ユーザは表示された地上デジタル放送番組予約設定画面に従って、リモコンにて所定のデータを入力する。入力されたデータは、リモコン受信部１１４を介して制御手段１０３に入力される。制御手段１０３は入力されたデータに対応した制御を地上デジタル放送番組予約手段１０６に指示する。地上デジタル放送番組予約手段１０６はその指示された処理を行うと共に、必要であれば地上デジタル放送番組予約画面データを変更してＯＳＤメモリ１１０に書き込み、ユーザへ表示している地上デジタル放送番組予約設定画面を変更する。このようにして、ユーザとの対話処理を行う。
【００２０】
地上アナログ放送番組予約手段１０７は、制御手段１０３の制御指示に従って、地上アナログ放送番組の予約処理を行い、設定された予約情報を番組予約情報記憶手段１０８に記憶する。
【００２１】
この地上アナログ放送番組予約処理は、地上アナログ放送番組予約設定画面を用いてユーザとの対話形式によって行う。従って、地上アナログ放送番組予約設定手段１０８は、この対話処理を行なうための地上アナログ放送番組予約設定画面をユーザに表示するために、ＯＳＤメモリ１１０に地上アナログ放送番組予約設定画面データを書き込む処理も行う。
ＯＳＤメモリ１１０は書き込まれた地上アナログ放送番組予約設定画面データをＤＡ変換器１１１に出力する。ＤＡ変換器１１１はこれをアナログメニュー信号に変換して、ビデオ信号セレクタ１１３に出力する。ビデオ信号セレクタ１１３は、制御手段１０３の制御指示に従って、地上アナログ放送番組予約設定時は、このアナログメニュー信号を選択し、図示していない画像表示部へ出力する。このような信号の流れにより、画像表示部によってユーザへ地上アナログ放送番組予約設定画面を表示する。そして、ユーザは表示された地上アナログ放送番組予約設定画面に従って、リモコンにて所定のデータを入力する。入力されたデータは、リモコン受信部１１４を介して制御手段１０３に入力される。制御手段１０３は入力されたデータに対応した制御を地上アナログ放送番組予約手段１０８に指示する。地上アナログ放送番組予約手段１０８はその指示された処理を行うと共に、必要であれば地上アナログ放送番組予約画面データを変更してＯＳＤメモリ１１０に書き込み、ユーザへ表示している地上アナログ放送番組予約設定画面を変更する。このようにして、ユーザとの対話処理を行う。
【００２２】
番組予約変更指示手段１０９は、地上デジタル放送番組予約手段１０６の制御指示に従って、デジタル放送番組の予約重複時に重複した番組をアナログ放送にて予約するか否かの判断をユーザへ促すために番組予約変更指示画面を出力する。従って、番組予約変更指示手段１０９は、この番組予約変更画面をユーザに表示するために、ＯＳＤメモリ１１０に番組予約変更画面データを書き込む処理を行う。ＯＳＤメモリ１１０は書き込まれた番組予約変更画面データをＤＡ変換器１１１に出力する。ＤＡ変換器１１１はこれをアナログメニュー信号に変換して、ビデオ信号セレクタ１１３に出力する。ビデオ信号セレクタ１１３は、制御手段１０３の制御指示に従って、番組予約変更時は、このアナログメニュー信号を選択し、図示していない画像表示部へ出力する。このような信号の流れにより、画像表示部によってユーザへ番組予約変更画面を表示する。そして、ユーザは表示された番組予約変更画面に従って、リモコンにて所定のデータを入力する。入力されたデータは、リモコン受信部１１４を介して制御手段１０３に入力される。制御手段１０３は入力されたデータに対応した制御を、地上デジタル放送番組予約手段１０６を介して番組予約変更指示手段１０９に指示する。番組予約変更指示手段１０９はその指示された処理を行うと共に、必要であれば番組予約変更画面データを変更してＯＳＤメモリ１１０に書き込み、ユーザへ表示している番組予約変更画面を変更する。このようにして、逐次番組予約変更画面を変更しながらユーザとの対話処理を行う。
【００２３】
ビデオ信号セレクタ１１３は、入力するビデオ信号とアナログメニュー信号とから、制御手段１０３の制御指示に従って選択した方の信号を図示していない画像表示部へ出力する。
＜対応チャンネル情報生成処理例＞
上記放送受信装置の一実施例を用いて、地上デジタル放送チャンネルと地上アナログ放送チャンネルとを対応付ける、対応チャンネル情報を生成する処理の流れを、図３を用いて説明する。
【００２４】
図３は、対応チャンネル設定画面の一実施例である。
図３の対応チャンネル設定画面は、ユーザによって例えば図２のリモコンのボタン１が押されたとき、図１に示す制御手段１０３によって、対応チャンネル情報生成手段１０４に表示指示がなされ、かつ、ビデオ信号セレクタ１１３にアナログメニュー信号側への選択指示がなされることにより表示される。なお、対応チャンネル情報生成手段１０４以降の対応チャンネル設定画面表示までの信号の流れは前述の図１の構成図の説明における対応チャンネル情報生成手段１０４の説明でなされているのでここでは省略する。
【００２５】
図３の放送局名の列３０１には、受信可能な放送チャンネルの放送局名が表示される。デジタルＣＨの列３０２には、同じ行に表示されている放送局に対応する地上デジタル放送のチャンネルが表示される。アナログＣＨの列３０３には、同じ行に表示されている放送局および地上デジタル放送のチャンネルに対応する地上アナログ放送のチャンネル設定候補が表示される。
【００２６】
この対応チャンネル設定画面において、例えばＮＨＫ教育のデジタルＣＨ０２１ｃｈに対応するアナログＣＨのチャンネルを設定する場合を説明する。
まず図２のリモコンの上移動キーまたは下移動キーを操作して、カーソルを移動し、ＮＨＫ教育の行とアナログＣＨの列とで指定される欄を選択する（本説明では選択部分の色を変えることをカーソルの移動と呼ぶ）。なお、リモコン操作によって入力されるデータに従って前記カーソルの移動のような画面変更制御が行なわれるまでの信号の流れは前述の図１の構成図の説明における対応チャンネル情報生成手段１０４の説明でなされているのでここでは省略する。以降、説明を簡単にするためにリモコン操作で画面表示が変更されるものとする。
【００２７】
そして選択した欄で図２のリモコンの決定キーを押すと図３に示すチャンネル選択ポップアップ画面３０４が表示される。
この状態で、図２のリモコンの上移動キーまたは下移動キーを操作すると、そのＮＨＫ教育のアナログ放送チャンネルの設定候補が図３に示すチャンネル選択ポップアップ画面３０４に、上移動キーが押された場合はチャンネル番号が大きくなる方向、下移動キーが押された場合はチャンネル番号が小さくなる方向で順次表示される。
【００２８】
そして、ＮＨＫ教育に対応する所望のアナログ放送チャンネル（本説明では３ｃｈ）が表示された時に図２のリモコンの決定キーを押すと、図３に示すチャンネル選択ポップアップ画面３０４が消えて、表示されていた３ｃｈがチャンネル選択ポップアップ画面３０４表示前の画面で選択していた欄に表示される。
【００２９】
以上の処理を、表示されている放送局のうち、地上デジタル放送チャンネルと地上アナログ放送チャンネルとの対応付けを行ないたい放送局に対して繰り返し行なう。
そして、所望の放送局全てに対して地上デジタル放送チャンネルに対応するアナログ放送チャンネルを入力し終わったならば、ユーザは図２のリモコンの上下左右各移動キーを操作してカーソルを図３に示す終了ボタン３０５に移動して、決定キーを押す。
【００３０】
この決定キーが押されることにより、図１に示す対応チャンネル情報生成手段１０４は、地上デジタル放送チャンネルと地上アナログ放送チャンネルとの対応チャンネル情報を、対応チャンネル情報記憶手段１０５に記憶する。
【００３１】
図４は、対応チャンネル情報を対応チャンネル情報記憶手段１０５に記憶する際の記憶フォーマットの例である。この例では偶数バイトにデジタル放送チャンネル、前記偶数バイトを１インクリメントした奇数バイトに対応するアナログ放送チャンネルを配置して記憶している。
【００３２】
また同時に、図１に示す制御手段１０３は、ビデオ信号セレクタ１１３を制御して、選択信号をアナログメニュー信号から、対応チャンネル情報生成処理を開始する前に選択していた地上デジタルビデオ信号に切り替える。
【００３３】
以上の処理により、地上デジタル放送チャンネルと地上アナログ放送チャンネルとが対応付けられた、対応チャンネル情報が受信機に記憶される。
この処理は、地上デジタル放送または地上アナログ放送の運用が変更にならない限り、放送受信装置をセットアップする際に一度行なえばよい。
また、本説明では対応チャンネル設定画面を用いてユーザが対応チャンネルをセットする例を説明したが、ユーザがセットするのではなく、予め全国の地上デジタル放送と地上アナログ放送との対応表を放送受信装置が記憶しておいて、ユーザは受信している地域の情報を入力することにより、放送受信装置が自動で対応表を参照することにより対応チャンネル情報を生成するようにしてもよい。
＜番組予約重複時の処理例＞
次に、上記対応チャンネル生成処理で生成した対応チャンネル情報を番組予約重複時に用いる処理の流れを、図６、図７、図８を用いて説明する。ここで説明する処理は、例えば地上デジタル放送において予約番組が重複した場合に、重複した番組の地上デジタル放送チャンネルを、対応する地上アナログ放送チャンネルに変更して番組予約を続行することを可能とする処理である。
【００３４】
図６は、地上デジタル放送番組予約画面である。この地上デジタル放送予約画面は、例えば図２のリモコンのボタン２が押されたとき、図１に示す制御手段１０３によって、地上デジタル放送番組予約手段１０６に表示指示がなされ、かつ、ビデオ信号セレクタ１１３にアナログメニュー信号側への選択指示がなされることにより表示される。なお、地上デジタル放送番組予約手段１０６以降の地上デジタル番組予約画面表示までの信号の流れは前述の図１の構成図の説明における地上デジタル放送番組予約手段１０６の説明でなされているのでここでは省略する。
【００３５】
この図６の地上デジタル放送予約画面は、図２のリモコンの上移動キーまたは下移動キーを操作することにより、日付欄６０１、開始時刻欄６０２、終了時刻欄６０３、チャンネル欄６０４、終了ボタン６０５をカーソルが移動する。なお、リモコン操作によって入力されるデータに従って、前記カーソルの移動のような画面変更制御が行なわれるまでの信号の流れは前述の図１の構成図の説明における地上デジタル放送番組予約手段１０６の説明でなされているのでここでは省略する。以降、説明を簡単にするためにリモコン操作で画面表示が変更されるものとする。
【００３６】
そして、例えば、チャンネル欄６０４にカーソルがあるときに図２のリモコンの決定キーが押されると、チャンネル選択ポップアップ画面６０６が表示される。このチャンネル選択ポップアップ画面６０６にて図２のリモコンの上移動キーまたは下移動キーの操作を行なうことにより、番組予約チャンネル候補が表示される。そして予約したい番組のチャンネル表示時に図２のリモコンの決定キーを押すと、チャンネル選択ポップアップ画面６０６が消えて、表示されていたチャンネルがチャンネル欄６０４に表示される。
【００３７】
その他の日付、開始時刻、終了時刻も同様な操作で値を入力する。
そして全ての入力が終了したならば、図２のリモコンの上下左右各移動キーを操作してカーソルを終了ボタン６０５に移動して、決定キーを押す。決定キーが押されたならば、図１に示す地上デジタル放送番組予約手段１０６は、入力されたチャンネル、日付、開始時刻、終了時刻からなる地上デジタル放送番組予約情報と、番組予約情報記憶手段１０８に記憶されている今回の番組予約処理以前に予約している地上デジタル放送番組予約情報と比較して、予約が重複しているか否かの確認を行なう。
その確認の結果、番組が重複していない場合は、図１に示す地上デジタル放送番組予約手段１０６は、地上デジタル放送番組予約画面の表示を終了し、番組予約情報記憶手段１０８に今回入力した地上デジタル放送番組予約情報を記憶し、対象の予約番組に対する番組予約処理を終了する。
【００３８】
また同時に、制御手段１０３は、ビデオ信号セレクタ１１３を制御して、選択信号をアナログメニュー信号から、番組予約処理を開始する前に選択していた地上デジタルビデオ信号に切り替える。
【００３９】
一方、番組が重複していた場合、地上デジタル放送番組予約手段１０６は、番組予約変更指示手段１０８に、図７に示すように、番組予約変更指示画面を地上デジタル放送番組予約画面の上面に表示するように指示をだす。なお、番組予約変更指示手段１０８以降の番組予約変更指示画面表示までの信号の流れは前述の図１の構成図の説明における番組予約変更指示手段１０８の説明でなされているのでここでは省略する。
そして、図７の番組予約変更指示画面で、ユーザが「いいえ」を選択した場合、図１に示す制御手段１０３は、地上デジタル放送番組予約手段１０６を介して、番組予約変更画面を終了するように番組予約変更指示手段１０９に指示をだす。そして、地上デジタル放送番組予約画面に戻り、地上デジタル放送番組予約処理を続行する。この場合、以後の処理としては、現在の予約処理を中断して先に予約してある番組の予約処理を優先するようにしたり、先に予約してある番組の予約処理を中止して、現在予約している番組の予約処理を優先したりする処理が考えられる。
一方、図７の番組予約変更指示画面で、ユーザが「はい」を選択した場合、図１に示す制御手段１０３は、地上デジタル放送番組予約画面、及び番組予約変更指示画面を終了するように地上デジタル放送番組予約手段１０６に指示をだす。
その後、制御手段１０３は、地上デジタル放送番組予約時に入力された、地上デジタル放送チャンネル、日付、開始時刻、終了時刻を、地上デジタル放送番組予約手段１０６から読み出す。そして、読み出した地上デジタル放送チャンネルに対応する地上アナログ放送チャンネルを、対応チャンネル情報記憶手段１０５に記憶してある対応チャンネル情報参照して導出する。その後、地上アナログ放送番組予約手段１０７から読み出した、日付、開始時刻、終了時刻と、今回導出した地上アナログ放送チャンネルとで新たな番組予約情報を生成して地上アナログ放送番組予約手段１０７に書き込む。
その後、制御手段１０３は、地上アナログ放送番組予約手段１０７に対して、図８に示す地上アナログ放送番組予約画面を表示するように指示をだして、新たに生成した番組情報を表示させる。
【００４０】
そして、この地上アナログ放送番組予約画面上で、ユーザは図２のリモコンの上下左右各移動キーを操作してカーソルを図７に示す終了ボタン８０５に移動して、決定キーを押す。
【００４１】
この決定キーが押されることにより、図１に示す地上アナログ放送番組予約手段１０７は地上アナログ放送番組予約画面の表示を終了し、地上アナログ番組予約情報を番組予約情報記憶手段１０８に記憶し番組予約処理を終了する。
【００４２】
また同時に、制御手段１０３は、ビデオ信号セレクタ１１３を制御して、選択信号をアナログメニュー信号から、番組予約処理を開始する前に選択していた地上デジタルビデオ信号に切り替える。
【００４３】
以上の処理により、予約番組が重複した場合の他の放送方式への番組予約変更が実現できる。
上記説明では、予約番組が重複した場合、ユーザに重複したことを通知して、ユーザの指示により番組予約の変更を行なう例を説明したが、予約番組が重複する度にユーザに番組予約の変更指示を行なわせるのではなく、放送受信機が自動で番組予約の変更を行なうようにしてもよい。
【００４４】
また本説明では、デフォルトで地上デジタル放送を受信している場合を想定して、番組予約は地上デジタル放送でまず行なって、地上デジタル放送で予約番組が重複した場合には、地上デジタル放送の重複番組のチャンネルに対応する地上アナログ放送チャンネルへ予約を変更する例を説明した。しかしもちろん、地上アナログ放送をデフォルトで受信している場合には、番組予約は地上アナログ放送でまず行なって、地上アナログ放送で予約番組が重複した場合には、地上アナログ放送の重複番組のチャンネルに対応する地上デジタル放送チャンネルへ予約を変更するようにしても構わない。またデフォルトの放送方式を固定せずに、地上デジタル放送と地上アナログ放送を受信状況に応じて相互に番組予約の変更を行なっても構わない。
【００４５】
更に、本説明では予約番組が重複した場合、後から予約する番組の予約を変更する例を説明したが、重複した番組のどちらか一方を変更するようにしても構わない。
以上の処理を行うことにより、例えば地上デジタル放送において番組予約が重複した場合に、重複した番組を、対応するアナログ放送での番組予約に切り替えることで、前回予約の番組を取り消して再度予約をしなおさなければいけないといった番組予約時のユーザ操作の煩雑さを軽減することが可能となる。
【図面の簡単な説明】
【００４６】
【図１】本発明の放送受信装置の一実施例の構成例である。
【図２】リモコンの配置例である。
【図３】一実施例の対応チャンネル設定画面の例である。
【図４】一実施例の対応チャンネル情報の記憶形態の例である。
【図５】一実施例の地上デジタル放送番組予約画面の例である。
【図６】一実施例の番組予約変更画面の例である。
【図７】一実施例の地上アナログ放送番組予約画面の例である。
【符号の説明】
【００４７】
１０１  地上デジタル受信手段
１０２  地上アナログ受信手段
１０３  制御手段
１０４  対応チャンネル情報生成手段
１０５  対応チャンネル情報記憶手段
１０６  地上デジタル放送番組予約手段
１０７  地上アナログ放送番組予約手段
１０８  番組予約情報記憶手段
１０９  番組予約変更指示手段
１１０  ＯＳＤメモリ
１１１  ＤＡ変換器
１１２  ビデオ信号セレクタ
１１３  ビデオ信号セレクタ
１１４  リモコン受信手段
【図１】
2006222732.tif 000003
【図２】
2006222732.tif 000004
【図３】
2006222732.tif 000005
【図４】
2006222732.tif 000006
【図５】
2006222732.tif 000007
【図６】
2006222732.tif 000008
【図７】
2006222732.tif 000009